(57)【要約】【課題】扉の開錠・施錠装置において、ロック機構の解除状態の保持と解放の作動時間やタイミングの調整を自由に行えるようにする。【解決手段】スライド爪４を動かすためのオープンレバー７の動作を制限するための解除レバー８を設け、ソレノイド１２の可動鉄心１２ａに解除レバーを連結し、オンの時にはオープンレバーに対する解除レバーの係合が解かれ、オフの時にはオープンレバーに対して解除レバーが係合するようにし、解除レバーのオープンレバーに対する動作を制御するためにロックレバー１０を設け、ソレノイド１３の可動鉄心１３ａにロックレバーを連結し、オンの時には解除レバーに対するロックレバーの係合が解かれ、オフの時には解除レバーに対してロックレバーが係合するようにするとともに、シリンダー錠２の舌片部２ａにより、オープンレバーに対する解除レバーの係合と、解除レバーに対するロックレバーの係合を同時に解除できるようにした。【選択図】  図３
2009079405.tif 000002
【特許請求の範囲】
【請求項１】
暗証番号を入力することによりロック機構を解除して、扉の閉鎖状態を保持するスライド爪の動作が可能となるようにした扉の開錠・施錠装置において、
前記ロック機構は、
扉の閉鎖状態を保持するスライド爪を動かすためのオープンレバーの動作を制御するために前記オープンレバーに対して係脱可能な解除レバーを設け、解除レバー用ソレノイドの可動鉄心に前記解除レバーを連結し、前記解除レバー用ソレノイドがオンの時には前記可動鉄心は前記解除レバー用ソレノイドのコイル側に引き寄せられ前記オープンレバーに対する前記解除レバーの係合が解かれて前記オープンレバーが自由に動けるようにし、前記解除レバー用ソレノイドがオフの時には前記可動鉄心はスプリングの力により前記コイルより突き出し前記オープンレバーに対して前記解除レバーが係合して前記オープンレバーの動きを規制するようにしたオープンレバーロック機構と、
前記解除レバーの前記オープンレバーに対する動作を制御するために前記解除レバーに対して係脱可能なロックレバーを設け、ロックレバー用ソレノイドの可動鉄心に前記ロックレバーを連結し、前記ロックレバー用ソレノイドがオンの時には前記可動鉄心は前記ロックレバー用ソレノイドのコイル側に引き寄せられ前記解除レバーに対する前記ロックレバーの係合が解かれ前記解除レバーが自由に動けるようにし、前記ロックレバー用ソレノイドがオフの時には前記可動鉄心はスプリングの力により前記コイルより突き出し前記解除レバーに対して前記ロックレバーが係合して前記解除レバーの動きを規制するようにした解除レバーロック機構
とから構成されていることを特徴とする扉の開錠・施錠装置。
【請求項２】
扉表面に鍵孔を設けたシリンダー錠を設け、前記シリンダー錠の舌片部により、前記オープンレバーに対する前記解除レバーの係合と、前記解除レバーに対する前記ロックレバーの係合を前記暗証番号の入力とは無関係に同時に解除できるようにした請求項１に記載の扉の開錠・施錠装置。
【請求項３】
前記シリンダー錠により前記解除レバーに対する前記ロックレバーの係合を解放すると、新規の暗証番号の入力が可能となるようにした請求項２に記載の扉の開錠・施錠装置。
【発明の詳細な説明】
【技術分野】
【０００１】
本発明は、キーボックスや金庫等の扉の開錠・施錠装置に関するものである。特に、電気回路を利用した開錠・施錠動作とともに、シリンダー錠による開錠も可能としたものである。
【背景技術】
【０００２】
従来より金庫等の扉の開錠・施錠について、特許文献１に示されるように、テンキーにより暗証番号を入力してソレノイドを作動させ、扉のロック機構を制御するようにしたものがある。
【０００３】
また、特許文献２や特許文献３に示されるように、ソレノイドによる開錠・施錠とともに、使用者の便宜のためにキーやダイヤルを操作することにより暗証番号を入力せずに扉のロック機構を解放できるようにしたものもある。
【０００４】
上記の従来例として示したものはいずれも、ソレノイドによる開錠・施錠を１個のソレノイドで行っている。ソレノイド１個によりロック機構を解放するようにしたことにより、そのロック機構の解除状態の保持はメカニカルな機構により行っている。
【０００５】
例えば、特許文献２に示すものにあっては、係止部材の爪部が制止部材の係合孔に合致掛合するようにし、ソレノイドへの通電が切れた後もロック機構の解除状態を保持するようにしている。そして、閂部材の肘部を扉を開けるために制止部材の開放受溝に導入することにより、このロック機構の解除状態が解かれるようになっている。
【０００６】
また、特許文献３に示すものにあっては、ロック機構の解除状態において、ロック部材を解放位置に移動するとロック部材の横長部の下端の当接部に回動板が接しロック機構の解除状態が保持されるようになっている。そして、この状態は扉を閉めるまで保持され、扉を閉める時に回動板が連結されているバーが金庫本体の枠に当たることにより、回動板が回りロック機構の解除状態が解かれるようになっている。
【特許文献１】実開昭５４−２１０９１号公報
【特許文献２】特公平３−５８４３２号公報
【特許文献３】特開平８−１９９８７３号公報
【発明の開示】
【発明が解決しようとする課題】
【０００７】
ロック機構の解除状態の保持と解除状態の解放をメカニカルな機構によることにより次のような不都合がある。例えば、特許文献２に示すものにあっては、扉を開いている最中に閂部材を操作すると、ロック機構の解除状態がその操作に付随して勝手に解放されてしまうという不便さがある。一旦ロック機構の解除状態が解放されてしまった場合は、扉が開いている状態でも再度暗証番号を入力してロック機構を解除する必要が生じる。
【０００８】
また、特許文献３に示すものにあっては、扉が開いている間はロック機構の解除状態は保持されるが、扉を閉じる時に回動板が連結されているバーが金庫本体の枠に適切に当接しないと、ロック機構の解除状態が解放されないおそれがある。一方、扉を完全に開かないとバーが金庫本体の枠から完全に離れず、ロック機構の解除状態が保持されないおそれもある。
【０００９】
いずれにしても、ロック機構の解除状態の保持と解放が正確に行えないのは、ソレノイド１個によりロック機構の解除を行い、ロック機構の解除状態の保持と解放をメカニカルな機構によっていることにその原因がある。また、ロック機構の解除状態の保持と解放をメカニカルな機構によることにより、その作動の選択の幅が非常に限定されたものとなっており、使用者の使い勝手に合わしてロック機構の解除状態の保持や解放のタイミングを調整するようなことはできない。
【００１０】
本発明は、このような問題点を解決するためになされたものであり、その目的とするところは、ソレノイドを２個使用することにより、ロック機構の解除状態の保持と解放のそれぞれについて、作動時間やタイミングの調整を自由に行えるようにするとともに、ソレノイドは必要最小限の作動で済むようにして電力消費量を最小とし、且つ２個のソレノイドで施錠状態が保持されている時でも、シリンダー錠の操作により手動により２個のソレノイドによる二か所の係合状態を同時に解放して開錠できるようにした扉の開錠・施錠装置を提供することである。
【課題を解決するための手段】
【００１１】
上記の目的を達成するために、本発明の扉の開錠・施錠装置は暗証番号を入力することによりロック機構を解除して、扉の閉鎖状態を保持するスライド爪の動作が可能となるようにした扉の開錠・施錠装置において、前記ロック機構は、扉の閉鎖状態を保持するスライド爪を動かすためのオープンレバーの動作を制御するために前記オープンレバーに対して係脱可能な解除レバーを設け、解除レバー用ソレノイドの可動鉄心に前記解除レバーを連結し、前記解除レバー用ソレノイドがオンの時には前記可動鉄心は前記解除レバー用ソレノイドのコイル側に引き寄せられ前記オープンレバーに対する前記解除レバーの係合が解かれて前記オープンレバーが自由に動けるようにし、前記解除レバー用ソレノイドがオフの時には前記可動鉄心はスプリングの力により前記コイルより突き出し前記オープンレバーに対して前記解除レバーが係合して前記オープンレバーの動きを規制するようにしたオープンレバーロック機構と、前記解除レバーの前記オープンレバーに対する動作を制御するために前記解除レバーに対して係脱可能なロックレバーを設け、ロックレバー用ソレノイドの可動鉄心に前記ロックレバーを連結し、前記ロックレバー用ソレノイドがオンの時には前記可動鉄心は前記ロックレバー用ソレノイドのコイル側に引き寄せられ前記解除レバーに対する前記ロックレバーの係合が解かれ前記解除レバーが自由に動けるようにし、前記ロックレバー用ソレノイドがオフの時には前記可動鉄心はスプリングの力により前記コイルより突き出し前記解除レバーに対して前記ロックレバーが係合して前記解除レバーの動きを規制するようにした解除レバーロック機構とから構成されているものである。
【００１２】
そして、本発明の別の態様は、前記発明に加えて扉表面に鍵孔を設けたシリンダー錠を設け、前記シリンダー錠の舌片部により、前記オープンレバーに対する前記解除レバーの係合と、前記解除レバーに対する前記ロックレバーの係合を前記暗証番号の入力とは無関係に同時に解除できるようにしたものである。
【００１３】
また、本発明の別の態様は、前記発明に加えて前記シリンダー錠により前記解除レバーに対する前記ロックレバーの係合を解放すると、新規の暗証番号の入力が可能となるようにしたものである。
【発明の効果】
【００１４】
ソレノイドを２個使用することにより、開錠・施錠を行うためのロック機構の解除状態の保持と解放のそれぞれについて、作動時間やタイミングの調整を自由に行うことが可能となり、使用者にとって使い勝手の良いものにすることができる。また、２個のソレノイドはそれぞれ電源がオフの時にそれぞれのロック機構の係合状態を保持するようにしたので、ソレノイドを２個使用してもその作動のためには必要最小限の電力消費量ですむ。さらに、２個のソレノイドで施錠状態が保持されている時でも、シリンダー錠の操作により手動により２個のソレノイドによる二か所の係合状態を同時に解放して開錠できるようにしたので、ソレノイドをバッテリーの容量が不足して作動させることができない場合でも開錠・施錠することができる。
【発明を実施するための最良の形態】
【００１５】
本発明の扉の開錠・施錠装置の実施の形態を、図面に基づいて説明する。図１は本発明の扉の開錠・施錠装置を用いたキーボックスの一例を示す斜視図であり、図２は扉を開いた状態を示す斜視図である。図２に示すように本体側の枠には扉の閉鎖状態を保持するスライド爪４と係合する係合溝４ａが設けてある。また図３に示すように扉の表面にはスライド爪４を動かすためのオープンレバー７が扉の裏側において連結されている引き手１と、手動によりロック機構を解除するためのシリンダー錠２の鍵孔と、暗証番号を入力するとともにロック機構の開錠・施錠を行うための入力キー３が設けられている。なお、本発明の扉の開錠・施錠装置は扉の裏側に設けられている。また、扉の適宜箇所には電源となるバッテリーや制御用の配電盤などが装備されていることは従来のものと同様である。
【００１６】
ロック機構を解除すると、引き手１を矢印方向にスライドさせることが可能となり、図２に示すスライド爪４を動かすことによりスライド爪４と係合溝４ａの係合が解かれ、扉を開くことが可能となる。また、入力キー３は例えばテンキーとその他開錠・施錠に必要なファンクションキーからなっており、正しい暗証番号が入力された場合にはロック機構が解除されるようになっている。これらの動作は、従来のものと同じである。また、扉の表面の構成は図示したものに限られるものではない。
【００１７】
次に、本発明の扉の開錠・施錠装置のロック機構の詳細を図３〜図５に基づいて説明する。本装置は上述したように扉の裏側に設けられており、扉表面の引き手１や入力キー３により扉の開錠・施錠が行えるようになっている。図３は本発明の扉の開錠・施錠装置のロック機構がロックされている状態を示す説明図であり、図４は本発明の扉の開錠・施錠装置のロック機構が解除されている状態を示す説明図であり、図５は本発明の扉の開錠・施錠装置のロック機構がシリンダー錠により解除された状態を示す説明図である。
【００１８】
本体側の枠に設けた係合溝４ａに鉤形の先端が係合して扉を閉鎖状態を保持するためのスライド爪４は、その端部はリンク６に当接しておりリンク６の回動によりそれぞれ図面において上下に摺動するようになっている。また、上下のスライド爪４はスライド爪引っ張りバネ５により相互に引き寄せられるようになっており、扉の閉鎖状態を保持するようになっている。なお、スライド爪４はリンク６の回動によらなくても動作可能であり、例えば、扉開放時に上下のスライド爪４はスライド爪引っ張りバネ５により相互に引き寄せられるようになっているが、この状態で扉を閉めると、スライド爪４の鉤形の先端は本体側の枠の係合溝４ａの端部で一旦上下に押し広げられた後に、スライド爪引っ張りバネ５により相互に引き寄せられ係合溝４ａと係合し、扉の閉鎖状態を保持することになる。
【００１９】
扉表側の引き手１に連結されている略長方形のオープンレバー７は、引き手１の動きにより図面において左右に摺動し、一端は立ち上げてリンク６に当接するオープンレバー押し部７ａとしてある。また、オープンレバー押し部７ａと反対側の位置の下面に切欠きを形成し、オープンレバー７の動きを規制するオープンレバーロック部７ｂとしてある。
【００２０】
オープンレバー７のオープンレバーロック部７ｂの下方に、略長方形でほぼ同じ大きさの解除レバー８と手動用レバー９が、解除レバー８が扉裏面に近い側となるようにして、解除レバー８と手動用レバー９の二枚を同軸上に重ねてそれぞれが独立して図面において上下に摺動可能なように設けてある。
【００２１】
解除レバー８はその上端にはオープンレバーロック部７ｂと係合する解除レバー突起部８ａが形成してあり、また下端は折り曲げて手動用レバー９の下端９ａが接する解除レバー当て部８ｂが形成してある。また、解除レバー８の下端は解除レバー用ソレノイド１２の可動鉄心１２ａに連結してある。なお、可動鉄心１２ａはスプリング１２ｂにより可動鉄心１２ａが解除レバー用ソレノイド１２のコイル１２ｃより突き出す方向に付勢されている。また、解除レバー８は図面において右側部のほぼ中間位置に切欠きを形成し、後述するロックレバー１０の突起部１０ａが係合する解除レバーロック部８ｃとしてある。
【００２２】
そして、解除レバー用ソレノイド１２がオンの時には可動鉄心１２ａがコイル１２ｃ側に吸引されることにより解除レバー８も下方へ移動し、解除レバー突起部８ａはオープンレバーロック部７ｂとの係合が解かれることになる。一方、解除レバー用ソレノイド１２がオフの時にはスプリング１２ｂにより可動鉄心１２ａは上昇し、解除レバー８も上方へ移動し、解除レバー突起部８ａはオープンレバーロック部７ｂと係合することになる。そして、オープンレバーロック機構は基本的には、上記したオープンレバー７と解除レバー８により構成されていることになる。
【００２３】
手動用レバー９はその上端に手動用レバー引っ張りバネ１４が取り付けてあり、手動用レバー引っ張りバネ１４の他端はオープンレバー７に連結してあり、手動用レバー９を図面において上方へ引っ張るように付勢してある。また、図３に示すように手動用レバー９は上方へ引っ張られた状態ではその手動用レバー下端９ａは解除レバー当て部８ｂには接しないようになっている。一方、図５に示すようにシリンダー錠２の舌片部２ａが回動すると手動用レバー上端９ｂがこの舌片部２ａにより押され、手動用レバー下端９ａが解除レバー当て部８ｂに当接することにより、解除レバー８をスプリング１２ｂの力に抗して下方に押し下げることになる。
【００２４】
ロックレバー１０は略長方形であり図面において左右に摺動可能に設けてある。そして、ロックレバー１０は左端には解除レバーロック部８ｃと係合するロックレバー突起部１０ａが形成してあり、また右端はロックレバー用ソレノイド１３の可動鉄心１３ａに連結してある。なお、可動鉄心１３ａはスプリング１３ｂにより可動鉄心１３ａがロックレバー用ソレノイド１３のコイル１３ｃより突き出す方向に付勢されている。
【００２５】
そして、ロックレバー用ソレノイド１３がオンの時には可動鉄心１３ａがコイル１３ｃ側に吸引されることによりロックレバー１０も右方へ移動し、ロックレバー突起部１０ａは解除レバーロック部８ｃとの係合が解かれることになる。一方、ロックレバー用ソレノイド１３がオフの時にはスプリング１３ｂにより可動鉄心１３ａはコイル１３ｃより突出し、ロックレバー１０も左方へ移動し、ロックレバー突起部１０ａは解除レバーロック部８ｃと係合することになる。そして、解除レバーロック機構は基本的には、上記した解除レバー７とロックレバー８により構成されていることになる。
【００２６】
また、ロックレバー１０のロックレバー突起部１０ａが形成してある側の上端は折り曲げられてロックレバー当て部１０ｂが形成してあり、手動用レバー９の図面において右側上方を折り曲げて形成した手動用レバー当て部９ｃと当接可能としてある。
【００２７】
シリンダー錠２は手動用レバー９の手動用レバー上端９ｂに近接した位置に設けてあり、図５に示すようにシリンダー錠２の舌片部２ａが回動すると手動用レバー上端９ｂがこの舌片部２ａにより押され、手動用レバー下端９ａが解除レバー当て部８ｂに当接することにより、解除レバー８をスプリング１２ｂの力に抗して下方に押し下げることになる。また、手動用レバー当て部９ｃと反対側にはスイッチ作動部９ｄが形成してあり、手動用レバー９がシリンダー錠２の舌片部２ａにより下方に押し下げられると、このスイッチ作動部９ｄがマイクロスイッチ１１に接触してマイクロスイッチ１１を作動させる。
【００２８】
手動用レバー９は、シリンダー錠２により開錠するに際し、オープンレバーロック機構と解除レバーロック機構のロックを同時に解除する役割をする。すなわち、シリンダー錠２の舌片部２ａにより手動用レバー９を押し下げることにより、解除レバー８に対してロックレバー１０が係合しないように解除状態に保ちながら、オープンレバー７に対する解除レバー８の係合を解く役割をする。
【００２９】
次に、上記した本発明の扉の開錠・施錠装置の作用について説明する。
図３に示すオープンレバーロック機構が係合状態で解除レバーロック機構が解除状態にある施錠状態と、図４に示すオープンレバーロック機構が解除状態で解除レバーロック機構が係合状態にある開錠状態と、図５に示すシリンダー錠により手動で開錠状態とした手動開錠状態のそれぞれについて説明する。
【００３０】
［施錠状態］
施錠状態においては、解除レバー用ソレノイド１２とロックレバー用ソレノイド１３は電源オフとなっており、基本的には可動鉄心１２ａ，１３ａはそれぞれスプリング１２ｂ，１３ｂによりコイル１２ｃ，１３ｃより突出させられる状態となっている。したがって、図３において解除レバー８は上方へ、ロックレバー１０は左方へ移動させられることになる。また、スライド爪４はスライド爪引っ張りバネ５により相互に中央に向けて引っ張られ、本体側の枠の係合溝４ａに係合して扉の閉鎖状態を保持している。
【００３１】
この状態においては、オープンレバー７は図３に示すようにリンク６により押され右側に移動し、オープンレバーロック部７ｂに解除レバー突起部８ａが係合し、オープンレバー７は左方への移動を規制されている。また、手動用レバー９は手動用レバー引っ張りバネ１４により上方へ引っ張られているため、手動用レバー下端９ａと解除レバー当て部８ｂとの間には十分な間隙があり、可動鉄心１２ａに連結した解除レバー８が解除レバー用ソレノイド１２のスプリング１２ｂにより上方へ移動することの妨げとはならないようになっている。
【００３２】
また、ロックレバー突起部１０ａは解除レバーロック部８ｃからは抜け出て、解除レバーロック部８ｃの下側面に当接した状態となっている。なおこれは、扉の開閉状態とは関係なく、開錠状態から施錠状態となるときに、一旦ロックレバー用ソレノイド１３がオンとなりロックレバー１０がコイル１３ｃ側へ移動して解除レバーロック部８ｃに対するロックレバー突起部１０ａによる係合が解かれ、その結果解除レバー８はスプリング１２ｂにより上方へ押し上げられオープンレバーロック部７ｂに対して解除レバー突起部８ｂが係合することになり、その後、ロックレバー用ソレノイド１３がオフとなっても、ロックレバー突起部１０ａは解除レバーロック部８ｃとは係合することなく、解除レバーロック部８ｃの下側面に当接した状態となる。
【００３３】
［開錠状態］
入力キー３から入力された暗証番号などが正しいと、解除レバー用ソレノイド１２が一定時間（例えば１秒間）オンとなり可動鉄心１２ａがコイル１２ｃ側へ吸引されることにより解除レバー８は下方へ移動する。すると、第一解除レバ−突起部８ａはオープンレバーロック部７ｂより下に位置するようになり両者の係合が解かれることになる。これにより、オープンレバー７は自由に動けるようになり、引き手１を操作してオープンレバー７を図４において左方へ動かすと、オープンレバー押し部７ａがリンク６を押すことによりリンク６が回動し、スライド爪４がリンク６により押されてスライド爪引っ張りバネ５に抗して外向き（図において上下方向）にそれぞれ移動し、スライド爪４の係合溝４ａに対する係合が解かれ、扉を開くことが可能となる。また、スライド爪４はリンク６により強制的に押されている時以外は、スライド爪引っ張りバネ５により相互に引き寄せられるようになっている
【００３４】
また、解除レバー８が下降すると、解除レバーロック部８ｃの位置がロックレバー１０のロックレバー突起部１０ａの位置と合致するようになる。そこで、施錠状態の時にはロックレバー突起部１０ａは解除レバーロック部８ｃの下側面に当接していたのが、ロックレバー１０はスプリング１４ａにより左方へ動かされ解除レバーロック部８ｃとロックレバー突起部１０ａが係合する。これにより、解除レバー８はスプリング１２ｂの上向きの力に抗して、オープンレバーロック部７ｂに対して解除レバー突起部８ａの係合が解かれた状態に保持される。そして、解除レバーロック部８ｃとロックレバー突起部１０ａが係合した後に、解除レバー用ソレノイド１２は自動的にオフとなる。
【００３５】
また、解除レバー用ソレノイド１２をオンとして開錠状態にして扉の開放を可能としたら、扉を閉じた時の施錠操作を不要とするために、解除レバー用ソレノイド１２をオンとしてから一定時間経過後（例えば５秒後）にロックレバー用ソレノイド１３をオンとし、ロックレバー突起部１０ａの解除レバーロック部８ｃに対する係合を解き、解除レバー突起部８ａがオープンレバーロック部７ｂと係合するようにし、ロック機構を図３に示す施錠状態にする。この状態に戻しておくことにより、もしも開錠操作をした後に扉の開閉をしなかった場合でも自動的に施錠状態となり安全が保たれることになる。
【００３６】
［開錠状態から施錠状態へ］
上記したように、解除レバー突起部８ａはオープンレバーロック部７ｂと係合して、ロック機構は図３に示す施錠状態になっているので、この状態で扉を閉めると、スライド爪４の鉤形の先端は本体側の枠の係合溝４ａの端部で一旦上下に押し広げられた後に、スライド爪引っ張りバネ５により相互に引き寄せられ係合溝４ａと係合し、扉の閉鎖状態を保持することになる。ロック機構は予め施錠状態となっているので、扉を単に閉めるだけで施錠状態となる。
【００３７】
［開錠状態から施錠状態への他例］
上記の開錠動作において、解除レバーロック部８ｃとロックレバー突起部１０ａが係合した後に、解除レバー用ソレノイド１２をオフとした後、ロックレバー用ソレノイド１３はオフのままとして解除レバーロック部８ｃとロックレバー突起部１０ａの係合を維持して、図４に示す状態を保持するようにする。なお、解除レバー用ソレノイド１２をオフとするタイミングは、解除レバーロック部８ｃとロックレバー突起部１０ａの係合をマイクロスイッチ等により検知してオフとしてもよく、あるいはタイマーにより一定時間経過後、例えばオンの２秒後にオフとするようにしてもよい。
【００３８】
この状態で扉を閉めると、スライド爪４の鉤形の先端は本体側の枠の係合溝４ａ端部で上下に一旦押し広げられた後に、スライド爪引っ張りバネ５により相互に引き寄せられ係合溝４ａと係合し、扉が閉鎖された状態となる。そして、入力キー３を操作して施錠スイッチとなるキーを押す。
【００３９】
所定のキーが押されると、ロックレバー用ソレノイド１３が所定時間（例えば１秒間）オンとなり、可動鉄心１３ａがコイル１３ｃ側へ吸引されることによりロックレバー１０は右方へ移動する。ロックレバー１０が右方へ移動すると、解除レバーロック部８ｃに対するロックレバー突起部１０ｂの係合が解かれる。すると、解除レバー８は解除レバー用ソレノイド１２のスプリング１２ｂにより上方へ移動し、オープンレバーロック部７ｂに対して解除レバー突起部８ａが係合することになる。これにより、オープンレバー７の動きが規制され施錠状態となる。
【００４０】
なお、入力キー３を操作することによりロックレバー用ソレノイド１３をオンとする代わりに、例えばオープンレバー７が扉を閉鎖状態とするための所定の位置になったことをマイクロスイッチ等により検知し、この検知に基づきロックレバー用ソレノイド１３をオンとしてもよい。また、ロックレバー用ソレノイド１３はタイマーにより作動時間を遅らせたり、あるいは作動している時間を調整できるようにしておいてもよい。
【００４１】
［手動による開錠状態］
施錠状態において、シリンダー錠２の鍵孔からキーを差し込み、シリンダー錠２の舌片部２ａを矢印の方向に回動させる。すると、舌片部２ａは手動用レバー上端９ｂに当接し、舌片部２ａの回動に従い手動用レバー引っ張りバネ１４に抗して手動用レバー９を下方へ押し下げる。やがて、手動用レバー下端９ａが解除レバー当て部８ｂに当接すると、解除レバー８もスプリング１２ｂに抗して下方へ移動する。そして、解除レバー８が下方へ移動することにより、舌片部２ａが回り切った状態でオープンレバーロック部７ｂに対する解除レバー突起部８ａの係合が解かれ、オープンレバー７は自由に動ける状態となる。これにより開錠状態となる。
【００４２】
なお、手動用レバー９が下方へ移動すると、初めはロックレバー突起部１０ａが解除レバーロック部８ｃの下側面で当接してその位置が規制されていたのが、ロックレバー当て部１０ｂが手動用レバー当て部９ｃと当接するようになり、そのままの位置で止まるように規制される。また、手動用レバー９が下方へ移動すると、手動用レバー９のスイッチ作動部９ｄがマイクロスイッチ１１に接し、新規の暗証番号の入力が可能となるようにする。一旦手動で開錠後の安全を図るためである。
【００４３】
［手動による開錠状態から施錠状態へ］
シリンダー錠２の舌片部２ａを矢印と反対方向へ回す。すると、手動用レバー９は手動用レバー引っ張りバネ１４により上方へ移動し、手動用レバー９が上方へ移動することにより解除レバー８は解除レバー用ソレノイド１２のスプリング１２ａにより上方へ移動させられる。そして、やがて舌片部２ａが手動用レバー上端９ｂから離れると、オープンレバーロック部７ｂに対して解除レバー突起部８ａが係合して施錠状態となる。
【００４４】
なお、手動用レバー９が上方へ移動すると、ロックレバー当て部１０ｂが手動用レバー当て部９ｃと当接していたのが、引き続きロックレバー突起部１０ａは解除レバーロック部８ｃの下側面で当接するようになり、ロックレバー１０が解除レバーロック部８ｃへ侵入することを規制している。したがって、解除レバー８はロックレバー１０と係合することなく上方へ移動し、オープンレバー７と係合することになる。
【産業上の利用可能性】
【００４５】
本発明の扉の開錠・施錠装置は金庫やキーボックスの扉に限定されるものではなく、電源を確保できるものについては各種の扉について使用することが可能である。また、電力不足の場合はシリンダー錠を手動で操作することにより開錠・施錠も可能であるので、その使用範囲は極めて広いものである。
【図面の簡単な説明】
【００４６】
【図１】本発明の扉の開錠・施錠装置を用いたキーボックスの斜視図である。
【図２】図１のキーボックスの扉を開いた状態の斜視図である。
【図３】本発明の扉の開錠・施錠装置のロック機構がロックされている状態を示す説明図である。
【図４】本発明の扉の開錠・施錠装置のロック機構が解除されている状態を示す説明図である。
【図５】本発明の扉の開錠・施錠装置のロック機構がシリンダー錠により解除された状態を示す説明図である。
【符号の説明】
【００４７】
１        引き手
２        シリンダー錠
２ａ      舌片部
３        入力キー
４        スライド爪
４ａ      係合溝
５        スライド爪引っ張りバネ
６        リンク
７        オープンレバー
７ａ      オープンレバー押し部
７ｂ      オープンレバーロック部
８        解除レバー
８ａ      解除レバー突起部
８ｂ      解除レバー当て部
８ｃ      解除レバーロック部
９        手動用レバー
９ａ      手動用レバー下端
９ｂ      手動用レバー上端
９ｃ      手動用レバー当て部
９ｄ      スイッチ作動部
１０        ロックレバー
１０ａ      ロックレバー突起部
１０ｂ      ロックレバー当て部
１１        マイクロスイッチ
１２        解除レバー用ソレノイド
１２ａ      可動鉄心
１２ｂ      スプリング
１２ｃ      コイル
１３        ロックレバー用ソレノイド
１３ａ      可動鉄心
１３ｂ      スプリング
１３ｃ      コイル
１４        手動用レバー引っ張りバネ
【図１】
2009079405.tif 000003
【図２】
2009079405.tif 000004
【図３】
2009079405.tif 000005
【図４】
2009079405.tif 000006
【図５】
2009079405.tif 000007